(57)【要約】【課題】仮留め部から剥がす際のラップフィルムの裂けを抑制できるラップフィルム収納箱を提供する。【解決手段】ラップフィルム収納箱１の収納部１０の前板１４の表面には、切断後に残るフィルム巻回体ＲのラップフィルムＦを仮留めする仮留め部４０が形成されている。留め部４０は、前板１４の長手方向に沿って連続しラップフィルムＦの両側端Ｆ１に対応する位置より内側の細長領域に形成されている。また、仮留め部４０は、蓋板１１により収納部１９の上部開口１９ａを閉鎖したときの掩蓋片１０の鋸刃３０の位置から収納部１９の上面開口側に１０ｍｍ以上離れた位置に形成されている。【選択図】図５
2015034043.tif 000002
【特許請求の範囲】
【請求項１】
筒状のフィルム巻回体を収納する、上面が開口した直方体状の収納部と、前記収納部の後板から前記収納部の上面開口側に延設し当該上面開口を開閉する蓋板と、当該蓋板からさらに前記収納部の前板側に延設する掩蓋片を有し、
前記掩蓋片の先端には、前記収納部のフィルム巻回体から引き出されたラップフィルムを切断する切断部が設けられ、
前記収納部の前板の表面には、切断後に残る前記フィルム巻回体のラップフィルムを仮留めする仮留め部が形成され、
前記仮留め部は、前記前板の長手方向に沿って連続し前記ラップフィルムの両側端に対応する位置より内側の細長領域に形成され、なおかつ、前記蓋板により前記収納部の上面開口を閉鎖したときの前記掩蓋片の切断部の位置から前記収納部の上面開口側に１０ｍｍ以上離れた位置に形成されている、ラップフィルム収納箱。
【請求項２】
前記仮留め部は、その長手方向の両側端が前記ラップフィルムの両側端に対応する位置から少なくとも１０ｍｍ以上内側にあり、長手方向の長さが前記ラップフィルムの幅の１／４以上の長さである、請求項１に記載のラップフィルム収納箱。
【請求項３】
前記仮留め部の上下方向の幅が、２ｍｍ以上１０ｍｍ以下である、請求項１又は２に記載のラップフィルム収納箱。
【請求項４】
前記ラップフィルムの引裂強度が、６ｃＮ以下である、請求項１〜３のいずれかに記載のラップフィルム収納箱。
【請求項５】
前記仮留め部が、ＵＶ硬化のニスにより形成されている、請求項１〜４のいずれかに記載のラップフィルム収納箱。
【発明の詳細な説明】
【技術分野】
【０００１】
本発明は、特に食品包装用のラップフィルム、アルミホイル、クッキングシート等（以下、ラップフィルムと称す）を巻回した筒状のフィルム巻回体を収納するラップフィルム収納箱に関する。
【背景技術】
【０００２】
ラップフィルムは、通常、紙製の芯体に巻回されて筒状のフィルム巻回体を構成し、その状態で紙製の直方体状のラップフィルム収納箱に収納されている。このラップフィルム収納箱は、通常、上面が開口した直方体状の収納部と、後板から収納部の上面開口側に延設し当該上面開口を開閉する蓋板と、当該蓋板からさらに収納部の前板側に延設する掩蓋片を有している。この掩蓋片の先端には、フィルム巻回体から引き出されたラップフィルムを切断する切断部が設けられている。
【０００３】
上述のラップフィルムの切断部として金属、紙、樹脂製の鋸刃が知られており、ユーザーがラップフィルムを使用する際には、収納箱内のフィルム巻回体からラップフィルムを所望の長さ引き出し、蓋板を閉めた状態で掩蓋片の先端の鋸刃によりラップフィルムを切断している。
【０００４】
ところで、ラップフィルムを切断した後、切断後に残ったラップフィルムの先端部が収納箱内のフィルム巻回体に巻き戻ることがある。このようにラップフィルムが巻き戻ると、次の使用時に再びラップフィルムの先端部を剥がして引き出すのに手間がかかり、使い勝手を大きく損なうこととなる。そこで、ラップフィルム収納箱の前板に、切断後に残るラップフィルムの先端部を仮留めしておく仮留め部を設けることが提案されている（特許文献１、２参照）。特許文献１、２に記載されているように、仮留め部は、前板の長手方向の両端部に亘り形成されている。こうして、切断後のラップフィルムの先端部が仮留め部に留められ、ラップフィルムが巻き戻ることが抑制される。次にラップフィルムを使用する際には、ラップフィルムの先端部が仮留め部から剥がされて引き出される。
【先行技術文献】
【特許文献】
【０００５】
【特許文献１】特開平０６−２９３３３７号公報
【特許文献２】特許第３１９５４６８号公報
【発明の概要】
【発明が解決しようとする課題】
【０００６】
ところで、一般的に、フィルム巻回体は、ラップフィルムを引き出す際に円滑に回転するため、収納箱の寸法よりも短く、収納箱の側壁との間に隙間を設けている。このため、例えばラップフィルム収納箱を輸送する際に、フィルム巻回体が収納箱内で動き、収納箱の側壁と衝突して、フィルム巻回体のラップフィルムの側端に傷ができることがある。この場合、この傷のあるラップフィルムの側端部が仮留め部に仮留めされ、次の使用時に仮留め部から剥がされる際に、ラップフィルムが傷を起点として側端から裂けることが考えられる。
【０００７】
さらに、従来技術では、掩蓋片の切断部と前板の仮留め部の位置関係は考慮されておらず、蓋板を閉じたときの切断部と仮留め部の位置が重なっていることが多い。切断部によって切断されたラップフィルムの先端には、傷や小さな裂けができるので、切断部によって切断されたラップフィルムの先端かその近傍が、仮留め部に仮留めされると、ラップフィルムをその仮留め部から剥がす際に、ラップフィルムが傷を起点として先端から裂けることが考えられる。
【０００８】
本発明はかかる点に鑑みてなされたものであり、仮留め部から剥がす際のラップフィルムの裂けを抑制できるラップフィルム収納箱を提供することをその目的とする。
【課題を解決するための手段】
【０００９】
本発明者は、鋭意研究を重ねた結果、仮留め部からラップフィルムの側端及び先端までの距離を確保することで上記種々の課題が解決されることを見出し、本発明をなすに至った。すなわち、本発明は下記（１）〜（５）を提供する。
（１）筒状のフィルム巻回体を収納する、上面が開口した直方体状の収納部と、前記収納部の後板から前記収納部の上面開口側に延設し当該上面開口を開閉する蓋板と、当該蓋板からさらに前記収納部の前板側に延設する掩蓋片を有し、前記掩蓋片の先端には、前記収納部のフィルム巻回体から引き出されたラップフィルムを切断する切断部が設けられ、前記収納部の前板の表面には、切断後に残る前記フィルム巻回体のラップフィルムを仮留めする仮留め部が形成され、前記仮留め部は、前記前板の長手方向に沿って連続し前記ラップフィルムの両側端に対応する位置より内側の細長領域に形成され、なおかつ、前記蓋板により前記収納部の上部開口を閉鎖したときの前記掩蓋片の切断部の位置から前記収納部の上面開口側に１０ｍｍ以上離れた位置に形成されている、ラップフィルム収納箱。
（２）前記仮留め部は、その長手方向の両側端が前記ラップフィルムの両側端に対応する位置から少なくとも１０ｍｍ以上内側にあり、長手方向の長さが前記ラップフィルムの幅の１／４以上の長さである（１）に記載のラップフィルム収納箱。
（３）前記仮留め部の上下方向の幅が、２ｍｍ以上１０ｍｍ以下である（１）又は（２）に記載のラップフィルム収納箱。
（４）前記ラップフィルムの引裂強度が、６ｃＮ以下である（１）〜（３）のいずれかに記載のラップフィルム収納箱。
（５）前記仮留め部が、ＵＶ硬化のニスにより形成されている、（１）〜（４）のいずれかに記載のラップフィルム収納箱。
【発明の効果】
【００１０】
本発明によれば、切断後のラップフィルムがラップフィルム収納箱内に巻き戻るのを防ぐとともに、仮留めされたラップフィルムのカット端を、仮留め部から所定量離すことで、ラップフィルムが容易に浮かせられるため、つまみが容易となる。また、ラップフィルムのカット端が、仮留め部から所定量の距離があるため、ラップフィルムを仮留め部から剥がす際にカット端から裂けることを抑制し、ラップフィルムの引出時のトラブルを低減できる。また、ラップフィルムが側端から裂けることも抑制し、ラップフィルムの引出時のトラブルを低減できる。
【図面の簡単な説明】
【００１１】
【図１】本発明のラップフィルム収納箱の概略を示す斜視図である。
【図２】ラップフィルム収納箱の展開図である。
【図３】蓋部を開放したラップフィルム収納箱の斜視図である。
【図４】開封片を切り取る様子を示すラップフィルム収納箱の斜視図である。
【図５】仮留め部と鋸刃の位置関係を示す説明図である。
【図６】つまみ片のあるラップフィルム収納箱の斜視図である。
【図７】実施例の実験結果を示す表である。
【発明を実施するための形態】
【００１２】
本発明について、以下具体的に説明する。なお、以下の実施の形態は、本発明を説明するための例示であり、本発明はその実施の形態のみに限定されるものではない。なお、同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１３】
図１はラップフィルム収納箱１の概略を示す斜視図であり、図２は図１のラップフィルム収納箱１の表面側の展開図である。図３は蓋部を開けた状態のラップフィルム収納箱１の斜視図である。
【００１４】
図１及び図２に示すようにラップフィルム収納箱１は、全体が直方体形状を有し、例えば掩蓋片１０、蓋板１１、脇掩蓋片１２等からなる蓋部１３と、前板１４、底板１５、後板１６、脇板１７、折返し片１８等からなる収納部１９と、開封片２０とを有している。なお、折返し片１８は、前板１４の裏面（内面）側に折り返されるものであり、外観には現れない。
【００１５】
図３に示すように収納部１９は、上面開口１９ａを有する直方体状に形成され、例えば透明のラップフィルムＦが円筒状の芯体に巻かれたフィルム巻回体Ｒを上面開口部１９ａから収納できる。ラップフィルムＦは、例えば引裂強度が６ｃN以下のものであってもよい。
【００１６】
図１に示すように蓋部１３の蓋板１１は、後板１６の上端縁から前方に延びて収納部１９の上面開口１９ａを覆っている。掩蓋片１０は、蓋板１１の前端縁から前板１４側に延びて前板１４の前面を覆っている。
【００１７】
なお、ラップフィルム収納箱１を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００１８】
開封片２０は、収納部１９の前板１４の前面下部に位置し、ラップフィルム収納箱１の長手方向に沿って帯状に形成されている。開封片２０は、掩蓋片１０の先端縁に切り取り線２１を介して接続されている。開封前、開封片２０の裏面側は、図２に示す前板１４の複数の接着部２２に接着している。この開封片２０によって蓋部１３が封止されており、図４に示すように開封片２０を切り取り線２１に沿って切り取ることによって蓋部１３を開封することができる。
【００１９】
掩蓋片１０の先端部の裏側には、図３及び図４に示すように収納部１９のフィルム巻回体Ｒから引き出されたラップフィルムＦを切断する切断部としての鋸刃３０が設けられている。鋸刃３０は、ラップフィルム収納箱１（掩蓋片１０）の長手方向の両側端に亘って形成されている。鋸刃３０は、開封片２０を切り取った時に、掩蓋片１０の先端縁から下方に突出する位置に形成されている。なお、この鋸刃３０などの切断部の材質は、金属、プラスチック、バルカナイズドファイバー等であり、切断部の形状は、直線状、Ｖ状、アーチ状、Ｍ字状等従来公知のものであれば特に制限はない。
【００２０】
図２及び図３に示すように前板１４の表面には、切断後に残るフィルム巻回体ＲのラップフィルムＦを仮留めする仮留め部４０が形成されている。仮留め部４０は、例えばＵＶ硬化のニスにより形成され、弱い粘着性を有する。仮留め部４０は、ラップフィルム収納箱１の長手方向に連続する細長形状に有している。仮留め部４０は、ラップフィルムＦの幅Ｄより狭い中央領域に形成されている。例えば、図５に示すように仮留め部４０は、その長手方向の両側端４０ａがラップフィルムＦの両側端Ｆ１に対応する位置から少なくとも１０ｍｍ以上内側にあり、長手方向の長さがラップフィルムＦの幅Ｄの１／４以上の長さである。よって、仮留め部４０の側端４０ａとラップフィルムＦの側端Ｆ１との距離Ｌは、１０ｍｍ以上、好ましくは１５ｍｍ以上、さらに好ましくは１８ｍｍ以上である。
【００２１】
また、仮留め部４０は、蓋板１１により収納部１９の上部開口１９ａを閉鎖したときの掩蓋片１０の鋸刃３０の切断位置（刃の根元）から収納部１９の上面開口１９ａ側に１０ｍｍ以上離れた位置に形成されている。よって、仮留め部４０と鋸刃３０の刃の根元との距離Ｅは、１０ｍｍ以上、好ましくは１４ｍｍ以上、さらに好ましくは１８ｍｍ以上である。また、仮留め部４０の上下方向の幅Ｈは、２ｍｍ以上、１０ｍｍ以下が好ましく、さらに８ｍｍ以下が好ましく、４ｍｍ程度がより好ましい。また、長手方向において前記範囲の中で幅Ｈを変更してもよい。
【００２２】
切断後のラップフィルムＦは、前板１４に配置されている仮留め部４０に貼り付き、次の使用時には、ラップフィルムＦを仮留め部４０から剥がし、所望長さ引き延ばし、蓋部１３を閉めた状態で鋸刃３０によりラップフィルムＦを切断する。
【００２３】
本実施の形態によれば、仮留め部４０が、前板１４の長手方向に沿って連続しラップフィルムＦの幅Ｄより狭い細長形状を有し、ラップフィルムＦの側端Ｆ１に対応する部分に仮留め部４０が形成されていない。よって、仮に輸送時等にラップの側端Ｆ１に傷ができていても、次に新しいラップフィルムＦを引き出す際に、仮留め部４０の接着力により傷を起点としてラップフィルムＦが側端Ｆ１から裂けることを抑制できる。また、仮留め部４０のラップフィルムＦの巻き戻り防止の性能も維持できる。
【００２４】
特に、仮留め部４０が、その長手方向の両側端４０ａがラップフィルムＦの両側端Ｆ１に対応する位置から少なくとも１０ｍｍ以上内側にあり、長手方向の長さがラップフィルムＦの幅Ｄの１／４以上の長さであるので、ラップフィルムＦの側端Ｆ１からの裂けをより確実に抑制できる。
【００２５】
さらに、仮留め部４０が、蓋板１１により収納部１９の上部開口１９ａを閉鎖したときの掩蓋片１０の鋸刃３０の位置から収納部１９の上面開口側に１０ｍｍ以上離れた位置に形成されているので、ラップフィルムＦの先端部が仮留め部４０により仮留めされない。よって、新しいラップフィルムＦを引き出す際にラップフィルムＦの先端に鋸刃３０による傷ができていても、仮留め部４０の接着力により傷を起点にラップフィルムＦが先端から裂けることを抑制できる。加えて、ラップフィルムＦの先端部に仮留め部４０に仮留めされないつまみ代ができるので、ラップフィルムＦのつまみやすさを向上できる。
さらに、前板１４の上端縁（図２に示す折り返し部１４ａ）から仮留め部４０の上面開口側の端までの距離を１ｍｍ以上にすると、ラップフィルムＦを引き出すときにラップフィルムＦが仮留め部４０に接触して引き出し難くなることを抑制でき、より良好な引出性を維持できる。
【００２６】
仮留め部４０の上下方向の幅Ｈが、２ｍｍ以上、１０ｍｍ以下であるので、仮留め部４０の幅Ｈが適切になる。つまり、仮留め部４０の幅Ｈが２ｍｍ以上であるので、切断後のラップフィルムＦを十分に仮留めでき、ラップフィルムＦの巻き戻りを防ぐことができる。また、仮留め部４０の幅Ｈが１０ｍｍ以下であるので、仮留め部４０からラップフィルムＦを剥がす操作を短時間で行うことができ、ラップフィルムＦを取り出す作業性を向上できる。
【００２７】
特に、ラップフィルムＦの引裂強度が６ｃＮ以下である場合には、ラップフィルムＦが裂けやすいので、本実施の形態のように仮留め部４０の形成領域を所定の位置や範囲に定めて、ラップフィルムＦの裂けを抑制するメリットは大きい。
【００２８】
以上の実施の形態では、仮留め部４０が、ＵＶ硬化のニスにより形成されていたが、これに特に限定するものではなく、接着性樹脂のような粘着型であっても、非粘着性の表面平滑等による自己密着型であってもよい。
【００２９】
また、以上の実施の形態において、図６に示すように前板１４に前方に浮き上がるつまみ片５０を設けてもよい。つまみ片５０は、例えば前板１４に切り込み５１を入れることにより形成され、折返し板１８が前板１４の裏面側に折れることにより生じる反作用により、浮き上がる。このような機構と本発明における仮留め部４０の併用により、ラップフィルムＦをよりつまみやすくすることができる。
【００３０】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【実施例】
【００３１】
実施例及び比較例における測定方法及び評価方法は下記の通りである。
【００３２】
＜引裂強度＞
ＡＳＴＭ−Ｄ−１９９２に準拠して測定した。測定は２３℃、５０％ＲＨの雰囲気下で行い、軽荷重引裂試験機（東洋精機製）を用いて、ラップフィルムのＭＤ方向とＴＤ方向の引裂強度（ｃＮ）を測定しその平均値で表す。
【００３３】
＜剥離強度＞
坪量５５０ｇ／ｍ２のコートボール（板紙）上に８ｍｍ×３００ｍｍの範囲に仮止め部材を塗布し、硬化させたものに、２２０ｍｍ幅のサランラップ（登録商標）（旭化成ホームプロダクツ株式会社製、引裂強度４ｃＮ）をシワなく密着させ、テストスタンド（ＦＧＳ−５０Ｖ−Ｈ、日本電装シンポ株式会社製）に固定したフォースゲージ（ＦＧＸ−２Ｒ、日本電装シンポ株式会社製）を用いて、２３℃、５０％ＲＨの雰囲気下で、剥離角度９０度、引き上げ速度４００ｍｍ／ｍｉｎで剥離した時の強度（ｃＮ）で表す。
【００３４】
＜ラップ両側端部からの裂け＞
段ボール入りのサランラップ（登録商標）（旭化成ホームプロダクツ株式会社、３０ｃｍ×５０ｍ巻×３０本）に、振動試験機（アイデックス株式会社製、ＢＦ−５０ＵＴ）を用い、５〜３０Ｈｚ、３０秒／回の振動を２０回与え、ラップフィルム側端部に３ｍｍ以下の傷を強制的に発生させたものをラップフィルムとして用い、後述の実施例及び比較例の収納箱に挿入したものをサンプルとする。当該サンプルのラップフィルムを約４０ｃｍ引き出し、鋸刃で切断後、ラップ切断端部を摘まんで引き剥がす動作を１５回（約６ｍ）繰り返し実施した時の裂けの発生回数で表す。評価は次のように行った。
◎：０回
〇：１回
△：２〜３回
×：４回以上
【００３５】
＜ラップカット端面からの裂け＞
実施例及び比較例の収納箱にサランラップ（登録商標）（旭化成ホームプロダクツ株式会社、３０ｃｍ×５０ｍ巻、引裂強度４ｃＮ）を挿入したサンプルを用い、１００人のモニターで、ラップフィルムを約４０ｃｍ引き出し、鋸刃で切断後、ラップ切断端部を摘まんで引き剥がす動作を１２０回（約５０ｍ分）繰り返し実施した時に１回以上裂けが発生した人数で表す。評価は次のように行った。
◎：５人未満
〇：５人以上１５人未満
△：１５人以上３０人未満
×：３０人以上
【００３６】
＜巻戻り性＞
実施例及び比較例の収納箱にサランラップ（登録商標）（旭化成ホームプロダクツ株式会社、３０ｃｍ×５０ｍ巻、引裂強度４ｃＮ）を挿入したサンプルを用い、約４０ｃｍを引き出し、鋸刃で切断後、蓋を開けた直後に、家庭用ドライヤー（株式会社日立製作所製  ＨＤ−Ｎ１２４０、６００Ｗ）を用い、ラップフィルムのカット端面にラップが剥離する方向に送風する動作を１２０回（約５０ｍ分）実施したときの仮止め部との接着状態を確認した。評価は次のように行った。
◎：１０秒以上剥がれない
○：５秒以上１０秒未満剥がれない
△：５秒以内に剥がれた
×：送風直後、又は蓋をあけた時点で剥がれた
【００３７】
＜総合評価＞
上述した裂け性、巻戻り性の評価を総合し、以下の２段階で評価した。
◎：各項目の評価が◎と〇から構成されるもの。
○：各項目の評価で◎と〇と△から構成されるもの。
×：各項目の評価で×を含むもの。
【００３８】
実施例及び比較例の収納箱
坪量５５０ｇ／ｍ２のコートボール（板紙）を材料とし、図２に示す、長手方向約３１０ｍｍ幅のラップフィルム収納用台紙に、仮止め部材４０として、サランラップ（登録商標）（旭化成ホームプロダクツ株式会社製、引裂強度４ｃＮ）との剥離強度が１６ｃＮであるＵＶ硬化ニス（商品名：ＨＴＡ、Ｔ＆ＫＴＯＫＡ社製）を図７の表に示すような位置、サイズで塗布し硬化させたラップフィルム収納用カートンブランクを作成した。続いて、直線状の鋸刃３０を同じく図２に示す位置に専用の装置で取り付け、実施例、比較例で使用のラップフィルム収納箱を作成した。
上記収納箱に、サランラップ（登録商標）（旭化成ホームプロダクツ株式会社、３０ｃｍ×５０ｍ巻、引裂強度４ｃＮ）を挿入してサンプルとし、ラップフィルムの裂け製、巻戻り性を評価した結果を図７の表に記載した。
【産業上の利用可能性】
【００３９】
本発明は、ラップフィルム収納箱において、仮留め部から剥がす際のラップフィルムの裂けを抑制する際に有用である。
【符号の説明】
【００４０】
１  ラップフィルム収納箱
１０  掩蓋片
１１  蓋板
１３  蓋部
１４  前板
１４ａ  前板折り返し部
１９  収納部
１９ａ  上面開口
２０  開封片
３０  鋸刃
４０  仮留め部
Ｒ  フィルム巻回体
Ｆ  ラップフィルム
【図１】
2015034043.tif 000003
【図２】
2015034043.tif 000004
【図３】
2015034043.tif 000005
【図４】
2015034043.tif 000006
【図５】
2015034043.tif 000007
【図６】
2015034043.tif 000008
【図７】
2015034043.tif 000009